(57)【要約】【課題】  集中監視制御所内だけで能率的にかつ正確に集中監視制御装置の試験を行うことができる集中監視制御装置の試験方法を提供すること。【解決手段】  各被監視制御所からのテレメータデータに代わって試験データを発生させる試験器を集中監視制御装置に備え、この試験器から発生した試験データを受信し表示部に表示させて前記集中監視制御装置の試験を行う。試験器は、各被監視制御所からの複数のテレメータデータの全てに対応して複数の試験データを同時に発生させることにより、表示部の全テレメータデータ表示位置に同時に試験データを表示させる。さらに、試験器は、複数の被監視制御所の全てまたは一部について試験データを同時に発生させことにより、複数の被監視制御所の全てまたは一部について同時に試験を行うことができる。さらに、試験器は複数の種類の試験データを順次に自動的に発生させる。【選択図】      図１
2006229762.tif 000002
【特許請求の範囲】
【請求項１】
複数の被監視制御所から送信されたテレメータデータを受信して表示部に表示させる集中監視制御装置を試験する試験方法であって、
各被監視制御所からのテレメータデータに代わって試験データを発生させる試験器を前記集中監視制御装置に備え、この試験器から発生した試験データを受信し表示部に表示させて前記集中監視制御装置の試験を行い、
前記試験器は、各被監視制御所からの複数のテレメータデータの全てに対応して複数の試験データを同時に発生させることにより、表示部の全テレメータデータ表示位置に同時に試験データを表示させることを特徴とする集中監視制御装置の試験方法。
【請求項２】
前記試験器は、複数の被監視制御所の全てまたは一部について、テレメータデータに代わって試験データを同時に発生させ、この試験データを各表示部上に同時に表示させることにより、複数の被監視制御所の全てまたは一部について同時に試験を行うことができることを特徴とする請求項１に記載の集中監視制御装置の試験方法。
【請求項３】
前記試験器は、複数の種類の試験データを順次に発生させることを特徴とする請求項１または２に記載の集中監視制御装置の試験方法。
【請求項４】
前記試験データは数値データで発生され、各被監視制御所の正常値に相当する数値データおよびテレメータデータのＩＤに相当する数値データであることを特徴とする請求項３に記載の集中監視制御装置の試験方法。
【請求項５】
前記試験データは、各被監視制御所の異常値に相当する数値データをさらに含むことを特徴とする請求項４に記載の集中監視制御装置の試験方法。
【請求項６】
前記表示部に異常値に相当する数値データが表示されたとき、表示部は異常状態を表示することを特徴とする請求項５に記載の集中監視制御装置の試験方法。
【請求項７】
前記試験器は、定時記録機能を試験するために、前記集中監視制御装置がデータを取り込む各時刻に合わせて順次に試験データを発生させることを特徴とする請求項１ないし６のいずれかに記載の集中監視制御装置の試験方法。
【請求項８】
前記表示部の表示状態はそのまま又は記憶されて試験後、プリントアウトすることができることを特徴とする請求項１ないし７のいずれかに記載の集中監視制御装置の試験方法。
【発明の詳細な説明】
【技術分野】
【０００１】
本発明は、遠方の変電所や発電所など複数の被監視制御所から送信されたテレメータデータを受信して表示部に表示させる集中監視制御装置に係り、特にその集中監視制御装置の試験方法に関するものである。
【背景技術】
【０００２】
計測という意味では先行技術文献として下記特許文献１が挙げられる。
【特許文献１】実開平５−４０３５号公報
【０００３】
電力会社においては、遠方の変電所や発電所など複数の被監視制御所から送信されたテレメータデータ（計測値や機器の稼動状態を表すデータ）を集中監視制御装置で受信表示して、複数の被監視制御所の稼動状態を本社内などに設けた集中監視制御所で集中監視している。図１９はその様子を示す一構成例で、Ａ変電所１１ａ、Ｂ変電所１１ｂ、Ｃ発電所１１ｃなどの複数の被監視制御所と集中監視制御所１２内の集中監視制御装置２０とが給電情報ネットワーク１３を介して接続される。集中監視制御装置２０は、情報集配信装置２１、遠隔監視制御装置２２、制御卓２３、および表示部２４を有する。情報集配信装置２１は、給電情報ネットワーク１３と接続され、情報の行き先を決めて中継する。遠隔監視制御装置２２は、情報集配信装置２１を介して供給された被監視制御所からのテレメータデータを受信して表示部２４に表示させるとともに、制御卓２３からの指令に基づき遠隔制御情報を発生させて情報集配信装置２１に送出する。情報集配信装置２１は、遠隔制御情報を給電情報ネットワーク１３を介して所定の被監視制御所に送信する。制御卓２３は、遠隔制御や各種制御のための指令を入力する。表示部２４は、遠隔監視制御装置２２で受信された被監視制御所からのテレメータデータを表示する。
【０００４】
上記のような構成例においては、Ａ変電所１１ａなどの複数の被監視制御所から送信されたテレメータデータを給電情報ネットワーク１３および情報集配信装置２１を介して遠隔監視制御装置２２が受信して表示部２４に表示させることにより、複数の被監視制御所の稼動状態を集中監視制御所１２で集中監視することができる。また、必要ならば、制御卓２３を操作して遠隔監視制御装置２２で遠隔制御情報を発生させて、その遠隔制御情報を情報集配信装置２１および給電情報ネットワーク１３を介して所定の被監視制御所に送信することにより、所定の被監視制御所の動作状態を遠隔制御することができる。
【０００５】
ところで、上述のようにして被監視制御所からのテレメータデータを受信し表示部２４に表示させたとき、他の被監視制御所からのテレメータデータが混入せず、所定の被監視制御所からのテレメータデータのみが正しく受信され所定の表示部２４に正確に表示されなければならないことはいうまでもない。そこで、所定の被監視制御所からのテレメータデータが正しく受信され所定の表示部２４に正確に表示されるか否かの遠隔監視制御装置２２（集中監視制御装置２０）の試験を行っている。その場合は、試験を行う所定の被監視制御所、例えばＡ変電所１１ａと集中監視制御所１２に試験者を配置して、両試験者が電話などで連絡を取り合いながら、Ａ変電所１１ａからテレメータデータを送信してはそのテレメータデータが遠隔監視制御装置２２で正しく受信されて所定の表示部２４に正確に表示されるかを確認している。
【発明の開示】
【発明が解決しようとする課題】
【０００６】
しかし、上記のような集中監視制御装置の試験方法では、テレメータデータを１つずつ入力しなければならないし、定時記録機能は定時毎にテレメータデータを入力しなければならず、さらには試験を行う所定の被監視制御所と集中監視制御所１２の両方に試験者を配置しなければならないので時間と人手が多くかかり大変であるとともに、電話などで連絡を取り合わなければならないので非能率であり、かつ連絡に起因するミスも発生するので正確性に問題があるという欠点があった。
【０００７】
本発明は上記の点に鑑みなされたもので、集中監視制御所内だけで能率的にかつ正確に集中監視制御装置の試験を行うことができる集中監視制御装置の試験方法を提供することを目的とする。
【課題を解決するための手段】
【０００８】
本発明の集中監視制御装置の試験方法は、複数の被監視制御所から送信されたテレメータデータを受信して表示部に表示させる集中監視制御装置を試験する試験方法であって、各被監視制御所からのテレメータデータに代わって試験データを発生させる試験器を前記集中監視制御装置に備え、この試験器から発生した試験データを受信し表示部に表示させて前記集中監視制御装置の試験を行い、前記試験器は、各被監視制御所からの複数のテレメータデータの全てに対応して複数の試験データを同時に発生させることにより、表示部の全テレメータデータ表示位置に同時に試験データを表示させることを特徴とする。
【０００９】
さらに、前記試験器は、複数の被監視制御所の全てまたは一部について、テレメータデータに代わって試験データを同時に発生させ、この試験データを各表示部上に同時に表示させることにより、複数の被監視制御所の全てまたは一部について同時に試験を行うことができる。さらに、前記試験器は、複数の種類の試験データを順次に発生させる。試験データは数値データで発生され、各被監視制御所の正常値に相当する数値データおよびテレメータデータのＩＤに相当する数値データである。さらに、試験データは、各被監視制御所の異常値に相当する数値データをさらに含む。前記表示部に異常値に相当する数値データが表示されたとき、表示部は異常状態を表示する。さらに、前記試験器は、定時記録機能を試験するために、前記集中監視制御装置がデータを取り込む各時刻に合わせて順次に試験データを発生させることができる。前記表示部の表示状態はそのまま又は記憶されて試験後、プリントアウトすることができる。
【発明の効果】
【００１０】
上記のような本発明の集中監視制御装置の試験方法によれば、各被監視制御所からのテレメータデータに代わって試験データを発生させる試験器を集中監視制御装置に設けて、この試験器から発生した試験データを受信して集中監視制御装置の試験を行うようにしたので、集中監視制御所内だけで能率的にかつ正確に集中監視制御装置の試験を行うことができる。しかも、試験器は、各被監視制御所からの複数のテレメータデータの全てに対応して複数の試験データを同時に発生させることにより、表示部の全テレメータデータ表示位置に同時に試験データを表示させて、全テレメータデータ表示位置の試験を同時に行うことができるので、表示部の各テレメータデータ表示位置に１つずつ試験データを表示させて、１つずつテレメータデータ表示位置の試験を行う方法に比較して能率的に試験を行うことができる。
【発明を実施するための最良の形態】
【００１１】
次に添付図面を参照して本発明による集中監視制御装置の試験方法の実施形態を詳細に説明する。図１は本発明の一実施形態を説明するための構成図で、集中監視制御所１２内の集中監視制御装置２０には、遠隔監視制御装置２２に接続して試験器２５が付加される。図１のその他の構成は図１９と同一であり、同一部分は図１９と同一符号を付してその説明を省略する。
【００１２】
試験器２５は、Ａ変電所１１ａ、Ｂ変電所１１ｂなど各被監視制御所から送信されるテレメータデータに代わって試験データを発生させる。したがって、この実施形態で遠隔監視制御装置２２（集中監視制御装置２０）の試験すなわち、所定の被監視制御所からのテレメータデータが遠隔監視制御装置２２で正しく受信され、所定の表示部２４に正しく表示されるかの試験を行う場合は、被監視制御所からのテレメータデータは受信せず、代わりに試験器２５から発生した試験データを遠隔監視制御装置２２が受信して表示部２４に表示させることにより実施される。
【００１３】
このとき、試験器２５は、各被監視制御所からの複数のテレメータデータの全てに対応して複数の試験データを例えば時分割多重で同時に発生させる。したがって、試験器２５からの試験データを遠隔監視制御装置２２が受信して表示部２４に表示させると、表示部２４には、全テレメータデータ表示位置に同時に試験データが表示されるようになり、全テレメータデータ表示位置の受信表示状態を同時に試験することができる。図５は、表示部２４の全テレメータデータ表示位置に同時に試験データが表示された場合の一例を示しており、表示部２４には、左側の４個所のテレメータデータ表示位置と、右側の５個所のテレメータデータ表示位置とに同時に試験データが表示されている。このようにして全テレメータデータ表示位置に同時に試験データが表示され、全テレメータデータ表示位置の受信表示状態を同時に試験することができれば、表示部２４の各テレメータデータ表示位置に１つずつ試験データを表示させて、１つずつテレメータデータ表示位置の試験を行う方法に比較して能率的に試験を行うことができる。
【００１４】
さらに、試験器２５は、複数の被監視制御所の全てについて、テレメータデータに代わって試験データを例えば並列的に同時に発生させる。したがって、試験器２５からの試験データを遠隔監視制御装置２２が受信して表示部２４に表示させると、表示部２４においては、図２に示すように、全ての被監視制御所用の表示部２４ａ，２４ｂ，２４ｃに同時に各被監視制御所の試験データが表示される。図２においては、２４ａがＡ変電所１１ａ用の表示部、２４ｂがＢ変電所１１ｂ用の表示部、２４ｃがＣ発電所１１ｃ用の表示部であり、これら全ての表示部２４ａ，２４ｂ，２４ｃに同時に各被監視制御所の試験データが表示される。したがって、この実施形態においては、Ａ変電所１１ａ、Ｂ変電所１１ｂおよびＣ変電所１１ｃの全ての被監視制御所について、テレメータデータの代わりに試験データを受信して受信表示状態を同時に試験することができ、より能率的な試験が可能となる。このとき、図２の各表示部２４ａ，２４ｂ，２４ｃにおいては、図５と同様に、全テレメータデータ表示位置に同時に試験データが表示されている。なお、試験器２５からは、複数の被監視制御所の全てではなくて、一部について試験データを同時に発生させるようにすることもできる。
【００１５】
図３は、試験器２５の具体的構成を示すブロック図である。試験器２５は、記憶部３１、データ発生部３２、データ送信部３３および制御部３４を有する。記憶部３１は、上記試験データを記憶する。データ発生部３２は、記憶部３１から試験データを取得して、テレメータデータと同一形態で試験データを発生させる。データ送信部３３は、データ発生部３２から発生した試験データを遠隔監視制御装置２２に送信する。制御部３４は、記憶部３１、データ発生部３２およびデータ送信部３３を制御する。
【００１６】
このような試験器２５から発生される試験データは数値データで発生され、各被監視制御所の正常値に相当する数値データおよびテレメータデータのＩＤに相当する数値データを有する。さらに、テレメータデータのＩＤに相当する数値データとしては、例えば各被監視制御所ＩＤ（各被監視制御所番号）に相当する数値データ、各被監視制御所の伝送チャンネルＩＤ（チャンネル番号）に相当する数値データ、各被監視制御所のテレメータ個別項目ＩＤ（ワード番号）に相当する数値データ、各テレメータデータの種別ＩＤ（電流、電圧、水位、流量などテレメータデータの種類）に相当する数値データを有する。さらに、試験データとしては、各被監視制御所の異常値に相当する数値データを含む。試験器２５は、これらの試験データを自動的に順次にあるいは、制御卓２３からの試験者の操作に基づき順次に発生させる。
【００１７】
図４ないし図９は、試験器２５から上記の試験データを順次に発生させ、それを遠隔監視制御装置２２で受信し表示部２４に表示させて試験を行ったときの、表示部２４の一画面状態を示す。これらの画面状態は、被監視制御所が広島変電所であって、該広島変電所用の試験データを試験器２５から発生させて広島変電所用の表示部２４に試験データを表示させた場合である。
【００１８】
広島変電所の正常値（正常値が表示部２４の各テレメータデータ表示位置に表示された状態）を図１０に示す。広島変電所の場合は、表示部２４のテレメータデータ表示位置として左側（入力側）に４個所、右側（出力側）に５個所あり、各テレメータデータ表示位置には、正常値として、図のような数値すなわち、３０００Ａ、１１０ｋＶ、３０００Ａ、１１０ｋＶ、６００Ａ、６００Ａ、６００Ａ、１２００Ａ、６００Ａが表示される。したがって、正常値に相当する数値データを試験器２５から発生させて表示部２４に表示させたとき、各テレメータデータ表示位置に上記と同一の数値が表示されれば、正常値の情報が正しく受信表示されたことになる。
【００１９】
広島変電所の被監視制御所ＩＤは「５」である。したがって、被監視制御所ＩＤに相当する数値データを試験器２５から発生させて表示部２４に表示させたとき、各テレメータデータ表示位置に「５」が表示されれば、被監視制御所ＩＤの情報が正しく受信表示されたことになる。
【００２０】
広島変電所の伝送チャンネルＩＤおよびテレメータ個別項目ＩＤ（これらのＩＤが表示部２４の各テレメータデータ表示位置に表示された状態）を図１１に示す。広島変電所の伝送チャンネルＩＤは、“ｃｈ”の左側に表示された１〜３である。したがって、伝送チャンネルＩＤに相当する数値データを試験器２５から発生させて表示部２４に表示させたとき、各テレメータデータ表示位置に、図１１と同様に１〜３の数値が表示されれば、伝送チャンネルＩＤの情報が正しく受信表示されたことになる。広島変電所のテレメータ個別項目ＩＤは、“ｗ”の左側に表示された数値すわなち、２０１、２０２、２１１、２１２、１００、１０１、１０２、１０、１１である。したがって、テレメータ個別項目ＩＤに相当する数値データを試験器２５から発生させて表示部２４に表示させたとき、各テレメータデータ表示位置に、図１１と同一の数値が表示されれば、テレメータ個別項目ＩＤの情報が正しく受信表示されたことになる。
【００２１】
具体的な電圧、電流値とテレメータデータＩＤとの関係を下記の表１および表２に示す。正常値が図１０であるとき、テレメータデータの種別ＩＤは、表１および表２から、１０５、９５、１０５、９５、１０１、１０１、１０１、１０２、１０１となる。したがって、テレメータデータの種別ＩＤに相当する数値データを試験器２５から発生させて表示部２４に表示させたとき、各テレメータデータ表示位置に、上記と同一の数値が表示されれば、テレメータデータの種別ＩＤの情報が正しく受信表示されたことになる。
【００２２】
【表１】
2006229762.tif 000003
【００２３】
【表２】
2006229762.tif 000004
【００２４】
図４は、被監視制御所の正常値に相当する数値データを試験器２５から発生させて表示部２４に表示させた場合で、この場合は、各テレメータデータ表示位置に、図１０と同一の数値が表示されており、正常値の情報が正しく受信表示されたことが分かる。
【００２５】
図５は、図４の次に被監視制御所ＩＤに相当する数値データを試験器２５から発生させて表示部２４に表示させた場合である。なお、この図５から図９においては「Ａ」や「ｋＶ」の単位は試験に関係なく、無視することができる。広島変電所は被監視制御所ＩＤが「５」であるから、図５の画面では、すべてのテレメータデータ表示位置に「５」が表示されるべきである。しかし、図５の画面では、左下のテレメータデータ表示位置に「７」が表示されており、これは、遠隔監視制御装置２２の動作が正しくなくて他の被監視制御所からのデータが混入していることを示しており、他のデータの混入を直ぐに見つけることができる。この場合は、遠隔監視制御装置２２の設定を変更して、すべてが数値「５」となる正しい表示に調整する。
【００２６】
図６は、図５の次に伝送チャンネルＩＤに相当する数値データを試験器２５から発生させて表示部２４に表示させた場合で、この場合は、各テレメータデータ表示位置に、図１１の「ｃｈ」左側の数値と同一の数値が表示されており、伝送チャンネルＩＤの情報が正しく受信表示されたことが分かる。
【００２７】
図７は、図６の次にテレメータ個別項目ＩＤに相当する数値データを試験器２５から発生させて表示部２４に表示させた場合で、この場合は、各テレメータデータ表示位置に、図１１の「ｗ」左側の数値と同一の数値が表示されており、テレメータ個別項目ＩＤの情報が正しく受信表示されたことが分かる。
【００２８】
図８は、図７の次に各テレメータデータの種別ＩＤに相当する数値データを試験器２５から発生させて表示部２４に表示させた場合で、この場合は、図１０の正常値と表１および表２の関係から得られた上述した数値が各テレメータデータ表示位置に表示されており、各テレメータデータの種別ＩＤの情報が正しく受信表示されたことが分かる。
【００２９】
図９は、図８の次に異常値に相当する数値データ「１５０」を試験器２５から発生させて表示部２４に表示させた場合である。広島変電所は１１０ｋＶ系であるから（このことは、遠隔監視制御装置２２が記憶している）、「１５０」を表示させると、１１０ｋＶの電圧種別を表示するテレメータデータ表示位置の「１５０」の表示（“１５０”部分）は異常値であり、異常色（赤）で点滅する。これは、異常値が表示されたときは、異常を表示するかの試験である。この例では、１１０ｋｖの電圧種別を表示するテレメータデータ表示位置の「１５０」の表示（“１５０”部分）が異常色で点滅して異常を表示したので、表示が正しいことが分かる。
【００３０】
なお、以上は、表示部２４を見ながらリアルタイムで試験する場合であるが、時間のかかる試験の場合は、表示部の表示状態を記憶する記憶装置とプリンタとを集中監視制御装置２０に用意して、試験後、表示部の表示状態である試験結果をプリントアウトして、試験後に試験結果を確認できるようにしてもよい。また、表示部２４を見ながらリアルタイムで試験する場合においても、表示部の表示状態をそのままプリントアウトすることができる。
【００３１】
そして、以上のような一実施形態によれば、各被監視制御所からのテレメータデータに代わって試験データを発生させる試験器２５を集中監視制御装置２０に設けて、この試験器２５からの試験データを受信して遠隔監視制御装置２２（集中監視制御装置２０）の試験を行うようにしたので、集中監視制御所１２内だけで能率的にかつ正確に集中監視制御装置２０の試験を行うことができる。しかも、試験器２５は、各被監視制御所からの複数のテレメータデータの全てに対応して複数の試験データを同時に発生させることにより、表示部２４の全テレメータデータ表示位置に同時に試験データを表示させて、全テレメータデータ表示位置の試験を同時に行うことができるので、表示部の各テレメータデータ表示位置に１つずつ試験データを表示させて、１つずつテレメータデータ表示位置の試験を行う方法に比較して能率的に試験を行うことができる。さらに、試験器２５は、複数の被監視制御所の全てまたは一部について、テレメータデータに代わって試験データを同時に発生させ、この試験データを各表示部上に同時に表示させることにより、複数の被監視制御所の全てまたは一部について同時に試験を行うことができるから、より能率的に試験を行うことができる。また、定時記録機能の試験に際しては、夜間などを使用して、前記試験器２５が有する複数の試験データを順次に発生させる機能を活用して自動で試験させることで、定時毎に試験する方法に比べてさらに能率的に試験を行うことができる。
【００３２】
上記の定時記録機能およびその試験について以下に詳述する。
発電所や変電所からのテレメータデータは電力系統の異常を常時監視するためのリアルタイム表示のほかに、設備管理や系統の運転のために、一定時限ごとに記録されている。記録は１時間や１０分毎にデータを取り込み処理する機能で、例えば１時間毎に電圧や電流の瞬間値をそのまま取り込んでいる記録画面のイメージは図１２のようになる。図１２は広島変電所の場合で、広島変電所１１０ｋＶ母線電圧、広島変電所６．６ｋＶ母線電圧、○○線電流の各項目に１時間毎に取り込んだデータが表示（記録）されている。集中監視制御装置にはこのような記録画面がたくさんある。
【００３３】
図１２は、記録タイミングが１時間毎であるが、５、１０、３０分・・・１、６、２４時間毎とその目的により様々で、これらを効率よく試験する方法が求められる。従来は、その定時のタイミング毎に試験器でデータを入力したり、計算機の時計を進めてはデータを入力しているが、何千項目もある試験に時間がかかっていた。
【００３４】
これに対して、上記の試験器２５は、複数の種類の試験データを自動的に順次発生させることができるので、この試験器２５と遠隔監視制御装置２２の時計を合わせておいて、遠隔監視制御装置２２によるデータの記録収集時刻の前毎に所定の試験データを順次自動的に発生させることにより、定時記録機能の試験を自動的に行うことができる。しかも、試験器２５は、遠隔監視制御装置２２での全ての又は一部の定時記録機能について各データの記録収集時刻を意識して試験データを自動的に発生させることにより、遠隔監視制御装置２２での全ての又は一部の定時記録機能について同時に試験することができる。さらに、試験器２５は、各データの記録収集時刻を意識して様々な周期で試験データを自動的に発生させることにより、記録取り込み周期の違う色々なタイプの複数の定時記録機能を同時に効率よく試験することができる。
【００３５】
図１３ないし図１８は、各被監視制御所ＩＤに相当する数値データ、伝送チャンネルＩＤ（チャンネル番号）に相当する数値データ、テレメータ個別項目ＩＤ（ワード番号）に相当する数値データ、各テレメータデータの種別ＩＤ（テレメータデータの種類）に相当する数値データ、異常値に相当する数値データ、正常値に相当する数値データをこの順番で１時間毎に試験器２５から自動的に発生させて、広島変電所の定時記録機能について試験を行った場合の表示部２４の記録画面状態を示す。
【００３６】
この図を参照して具体例として、広島変電所の定時記録機能の試験について説明すると、まず０時５０分に“各被監視制御所ＩＤに相当する数値データ”を試験器２５が自動送信する。１時になるとデータが遠隔監視制御装置２２に取り込まれ、図１３に示すように、記録画面の全項目部分にデータが表示される。図１３では、広島変電所のＩＤに相当する数値データ「５」が全項目部分に正しく表示されている。したがって、広島変電所のデータが取り込まれていることが分かる。
【００３７】
次に１時５０分に“伝送チャンネルＩＤ（チャンネル番号）に相当する数値データ”を試験器２５が自動送信する。２時になるとデータが遠隔監視制御装置２２に取り込まれ、図１４に示すように、記録画面の全項目部分にデータが表示される。図１４では、広島変電所１１０ｋＶ母線電圧が１チャンネル、広島変電所６．６ｋＶ母線電圧と○○線電流が２チャンネルと表示され、正しいチャンネルのデータが表示されている。したがって、ここまでで、広島変電所の正しいチャンネルのデータが取り込まれていることが分かる。
【００３８】
次に２時５０分に“テレメータ個別項目ＩＤ（ワード番号）に相当する数値データ”を試験器２５が自動送信する。３時になるとデータが遠隔監視制御装置２２に取り込まれ、図１５に示すように、記録画面の全項目部分にデータが表示される。図１５では、広島変電所１１０ｋＶ母線電圧が３０ワード、広島変電所６．６ｋＶ母線電圧が３５ワード、○○線電流が３６ワードと表示され、正しいワードデータが表示されている。したがって、ここまでで、広島変電所の正しいチャンネルの正しいワードのデータが取り込まれていることが分かる。
【００３９】
次に３時５０分に“各テレメータデータの種別ＩＤ（テレメータデータの種類）に相当する数値データ”を試験器２５が自動送信する。４時になるとデータが遠隔監視制御装置２２に取り込まれ、図１６に示すように、記録画面の全項目部分にデータが表示される。図１６では、広島変電所１１０ｋＶ母線電圧が９５種別、広島変電所６．６ｋＶ母線電圧が９０種別、○○線電流が１０１種別と表示され、正しい種別データが表示されている。したがって、ここまでで、広島変電所の正しいチャンネルの正しいワードの正しいテレメータデータ種別が取り込まれていることが分かる。
【００４０】
次に４時５０分に“異常値に相当する数値データ”を試験器２５が自動送信する。５時になるとデータが遠隔監視制御装置２２に取り込まれ、図１７に示すように、記録画面の全項目部分にデータが表示される。図１７では、広島変電所１１０ｋＶ母線電圧が１５０ｋＶ（赤（異常色）表示）、広島変電所６．６ｋＶ母線電圧が９．０ｋＶ（赤（異常色）表示）、○○線電流が７２０Ａ（赤（異常色）表示）と表示され、いずれも異常値が異常色表示で表示されている。したがって、ここまでで、広島変電所の正しいチャンネルの正しいワードの正しいテレメータデータ種別のデータが取り込まれ、該当の異常値で正しく異常色表示されていることが分かる。
【００４１】
次に５時５０分に“正常値に相当する数値データ”を試験器２５が自動送信する。６時になるとデータが遠隔監視制御装置２２に取り込まれ、図１８に示すように、記録画面の全項目部分にデータが表示される。図１８では、広島変電所１１０ｋＶ母線電圧が１１０ｋＶ（正常色表示）、広島変電所６．６ｋＶ母線電圧が６．６ｋＶ（正常色表示）、○○線電流が６００Ａ（正常色表示）と表示され、いずれも正しい値が正常色で表示されている。したがって、以上で、広島変電所の正しいチャンネルの正しいワードの正しいテレメータデータ種別のデータが取り込まれ、該当の異常値で正しく異常色表示された後、各テレメータデータの正常値が入り、全て正常色になって全て正常であることが分かる。
【００４２】
以上のようにして広島変電所の定時記録機能の試験を行うことができる。さらに、同様にして各データの記録収集時刻を意識して試験データを試験器２５で自動的に発生させることにより、遠隔監視制御装置２２での全ての又は一部の被監視制御所に対する定時記録機能について同時に試験することができる。さらに、各データの記録収集時刻を意識して様々な周期で試験データを試験器２５で自動的に発生させることにより、記録取り込み周期の違う色々なタイプの複数の定時記録機能を同時に効率よく試験することができる。さらに、このような定時記録機能の試験を例えば夜間に５時間程度を使用して自動試験させておくと、朝にこの沢山の記録画面を見て（あるいは印刷してみて）一気に確認することができ非常に効率的な試験を実施できる。
【図面の簡単な説明】
【００４３】
【図１】本発明の一実施形態を説明するための構成図。
【図２】全ての被監視制御所用の表示部に同時に試験データが表示された状態を示す図。
【図３】試験器の具体的ブロック図。
【図４】被監視制御所の正常値に相当する数値データを試験器から発生させて表示部に表示させた場合の画面状態を示す図。
【図５】被監視制御所ＩＤに相当する数値データを試験器から発生させて表示部に表示させた場合の画面状態を示す図。
【図６】伝送チャンネルＩＤに相当する数値データを試験器から発生させて表示部に表示させた場合の画面状態を示す図。
【図７】テレメータ個別項目ＩＤに相当する数値データを試験器から発生させて表示部に表示させた場合の画面状態を示す図。
【図８】各テレメータデータの種別ＩＤに相当する数値データを試験器から発生させて表示部に表示させた場合の画面状態を示す図。
【図９】異常値に相当する数値データを試験器から発生させて表示部に表示させた場合の画面状態を示す図。
【図１０】広島変電所の正常値が表示部の各テレメータデータ表示位置に表示された状態を示す図。
【図１１】広島変電所の伝送チャンネルＩＤおよびテレメータ個別項目ＩＤが表示部の各テレメータデータ表示位置に表示された状態を示す図。
【図１２】定時記録での記録画面の一例を示す図。
【図１３】定時記録機能を試験したときの記録画面状態を、各被監視制御所ＩＤに相当する数値データを取り込んだ段階で示す図。
【図１４】定時記録機能を試験したときの記録画面状態を、伝送チャンネルＩＤに相当する数値データを取り込んだ段階で示す図。
【図１５】定時記録機能を試験したときの記録画面状態を、テレメータ個別項目ＩＤに相当する数値データを取り込んだ段階で示す図。
【図１６】定時記録機能を試験したときの記録画面状態を、各テレメータデータの種別ＩＤに相当する数値データを取り込んだ段階で示す図。
【図１７】定時記録機能を試験したときの記録画面状態を、異常値に相当する数値データを取り込んだ段階で示す図。
【図１８】定時記録機能を試験したときの記録画面状態を、正常値に相当する数値データを取り込んだ段階で示す図。
【図１９】複数の被監視制御所の稼動状態を集中監視制御所で集中監視する様子を示す一構成例の図。
【符号の説明】
【００４４】
１１ａ  Ａ変電所
１１ｂ  Ｂ変電所
１１ｃ  Ｃ発電所
１２  集中監視制御所
１３  給電情報ネットワーク
２０  集中監視制御装置
２１  情報集配信装置
２２  遠隔監視制御装置
２３  制御卓
２４  表示部
２５  試験器
【図１】
2006229762.tif 000005
【図２】
2006229762.tif 000006
【図３】
2006229762.tif 000007
【図４】
2006229762.tif 000008
【図５】
2006229762.tif 000009
【図６】
2006229762.tif 000010
【図７】
2006229762.tif 000011
【図８】
2006229762.tif 000012
【図９】
2006229762.tif 000013
【図１０】
2006229762.tif 000014
【図１１】
2006229762.tif 000015
【図１２】
2006229762.tif 000016
【図１３】
2006229762.tif 000017
【図１４】
2006229762.tif 000018
【図１５】
2006229762.tif 000019
【図１６】
2006229762.tif 000020
【図１７】
2006229762.tif 000021
【図１８】
2006229762.tif 000022
【図１９】
2006229762.tif 000023